(57)【要約】【課題】会議中の話し声を外部から保護するための、低予算で簡易なシステムを提供する。【解決手段】会議中の話し声が隣室に洩れた場合に、その隣室に対し、洩れた音声よりも大きい音量でＢＧＭ等の音楽を出力することにより、会議中の話し声が隣室で聴き取られることを防止する。【選択図】図２
2007256606.tif 000002
【特許請求の範囲】
【請求項１】
所定の室内の音を集音する集音手段と、
前記所定の室と隣接した空間に設置した出音手段と、
前記集音手段により集音した音データの音量に応じた所定音量の音を前記出音手段より出音するように制御する出音制御手段と、
を備えることを特徴とする出音システム。
【請求項２】
前記出音手段から出音される音を楽曲としたことを特徴とする請求項１に記載の出音システム。
【請求項３】
前記出音制御手段は、集音した室内の音の要素に基き、室内の音を聞き取り難くした音を前記出音手段から出音することを特徴とする請求項１又は２に記載の出音システム。
【請求項４】
前記出音制御手段は、集音した室内の音の波長を検出する波長検出手段を備え、検出した波長に応じて室内の音を聞き取り難くした音を前記出音手段から出音することを特徴とする請求項１〜３のいずれか１項に記載の出音システム。
【発明の詳細な説明】
【技術分野】
【０００１】
本発明は、出音システムに関し、例えば、室内の話し声の内容などを、簡単なシステムで隣接する室内などにおいて聞き取り難くして話の内容を保護できるようにした出音システムに関する。
【背景技術】
【０００２】
例えば重要な会議を行う場合、会議内容は秘密事項が多いために、近接した部屋などに話し声が洩れ聞こえることは好ましくないことは当然である。しかし、会議室に防音装置や消音設備を導入するにはコストがかかってしまう。
【０００３】
他方、オフィスビルなどにおいて、作業能率の向上に効果があるとされているバック・グラウンド・ミュージック（以下「ＢＧＭ」とする）を流すことも珍しくない。なお、ここでＢＧＭとは、川のせせらぎや鳥のさえずりなどのサウンドも含む概念である。
【０００４】
かかるＢＧＭを用いた技術として、会議通話が可能な電話システムに採用したものがある(例えば、特許文献１を参照。)。
【０００５】
これは、会議通話において音声が検出されるとＢＧＭをオフとし、それ以外のときはＢＧＭを流すシステムとなっていた。
【特許文献１】特開２００４−８８２１１号公報
【発明の開示】
【発明が解決しようとする課題】
【０００６】
しかしながら、上記特許文献１の技術は、音声を検出するとＢＧＭをオフにしてしまうもので、会議中の話し声を外部から保護することにはならない。かといって、大きな費用をかけて防音設備等を導入するまでもないという場合も多い。
【０００７】
本発明は、防音設備導入などの多大な設備投資を行うことなく、会議中の話し声などを隣室などで聞かれたりすることを簡易的に防止可能とした出音システムを提供することを目的としている。
【課題を解決するための手段】
【０００８】
請求項１記載の本発明では、所定の室内の音を集音する集音手段と、前記所定の室と隣接した空間に設置した出音手段と、前記集音手段により集音した音データの音量に応じた所定音量の音を前記出音手段より出音するように制御する出音制御手段と、を備える出音システムとした。
【０００９】
請求項２記載の本発明では、請求項１に記載の出音システムにおいて、前記出音手段から出音される音を楽曲としたことを特徴とする。
【００１０】
請求項３記載の本発明では、請求項１又は２に記載の出音システムにおいて、前記出音制御手段は、集音した室内の音の要素に基き、室内の音を聞き取り難くした音を前記出音手段から出音することを特徴とする。
【００１１】
請求項４記載の本発明では、請求項１〜３のいずれか１項に記載の出音システムにおいて、前記出音制御手段は、集音した室内の音の波長を検出する波長検出手段を備え、検出した波長に応じて室内の音を聞き取り難くした音を前記出音手段から出音することを特徴とする。
【発明の効果】
【００１２】
本発明によれば、簡易的なシステムでありながら、室内の話し声などを室外の者に聞かれ難くすることができる。
【発明を実施するための最良の形態】
【００１３】
本実施形態に係る出音システムは、所定の室内の音を集音する集音手段と、前記所定の室と隣接した空間に設置した出音手段と、前記集音手段により集音した音データの音量に応じた所定音量の音を前記出音手段より出音するように制御する出音制御手段とを備えるものである。
【００１４】
ここで、所定の室とは、例えば、会議出席者以外に知られたくない議事が進められる場合が多々ある会議室などが該当する。
【００１５】
また、集音手段とは室内の音声を効率的に取り込むことができるマイクロホンを用いるとよい。
【００１６】
また、出音手段としては一般的な建築物内に設置されるスピーカなどでよい。
【００１７】
また、出音制御手段としては、ＣＰＵ、ＲＯＭ、ＲＡＭ、及び音制御用の専用回路などを備えた制御回路が考えられる。そして、前記ＲＯＭには、様々な音の種類（楽曲などを含む）を記憶させておくものとする。
【００１８】
上記構成の出音システムを、例えばオフィスビルなどに構築すれば、会議室内の音声をマイクロホンにより取込み、その音声の音量に応じた音量、すなわち会議室内の音声の大きさに応じた大きさの音を、前記会議室の隣室や廊下あるいはロビーなどに設置したスピーカから流して、例え会議室内から声が洩れ出ても、会議室外にいる人から聞き取り難くすることができる。
【００１９】
かかるシステム構成は極めて簡単なことから、新築の建物に採用する場合でも、あるいは既設の建物に後から構築する場合であっても、大きくコストをかけることなく実現可能である。
【００２０】
また、上記構成の出音システムにおいて、前記出音手段から出音される音を楽曲とすることができる。
【００２１】
すなわち、会議室内の話し声などを聞こえ難くするためとはいえ、楽曲を流すことで所謂「ＢＧＭ」となすことができ、会議室外にいる人々の仕事能率を向上させる効果も期待できるものとなる。
【００２２】
また、上述してきた出音システムにおいて、前記出音制御手段は、集音した室内の音の要素に基き、室内の音を聞き取り難くした音を前記出音手段から出音することが望ましい。
【００２３】
すなわち、集音手段であるマイクロホンで集音した話し声を解析し、その音量のみならず、話のテンポに応じてＢＧＭ等の音楽をアップテンポの音楽に変更したり、集音した音声の周波数に可及的に近い周波数が主となる音（楽曲）を選択して出音するなどして、会議室内の音をより聞き難くするのである。
【００２４】
さらに、上述した出音システムにおいて、前記出音制御手段は、集音した室内の音の波長を検出する波長検出手段を備え、検出した波長に応じて室内の音を聞き取り難くした音を前記出音手段から出音することもできる。
【００２５】
ここで、波長を検出する場合は周波数も検出することが可能なので、例えば、集音した様々な周波数の音（声）の中で、平均振幅の大きな音、すなわち大きな声の周波数について、この周波数に近似した音を選択するとともに、逆位相にして出音手段より出力するのである。これは、音の波形が相殺されて音が消える、という現象を利用している。
【００２６】
あるいは、集音した音（話し声など）を合成して合成音を生成し、この合成音の周波数に近似した音や楽曲を選択するとともに、出音手段からはその選択した音の周波数を逆位相にして出力することができる。
【００２７】
以下に、本発明に好適な実施形態を、図面に基づいてより具体的に説明する。
［出音システムの構成］
図１は、本実施形態における出音システムの構成を示す説明図であり、ここでは、会議室Ａと休憩室Ｂとが並設されたフロアを例示している。
【００２８】
図１に示すように、本実施形態に係る出音システムは、本発明に係る集音手段としての集音マイク１と、出音手段としてのスピーカ２と、そして、集音マイク１から集音された音データから得られた音量に応じた所定音量の音を、スピーカ２から出力する制御を行う出音制御装置３から構成されている。
【００２９】
集音マイク１は、図示するように、会議室Ａの天井に設置されており、スピーカ２は、隣室の休憩室Ｂの天井に設置されている。さらに、会議室Ａに設置された集音マイク１から集音された音声データの音量応じて、隣室の休憩室Ｂに設置されたスピーカ２から、所定の音量でＢＧＭ等の音楽を出音する制御を行う出音制御装置３が、集音マイク１とスピーカ２と配線ケーブル等で接続されて、任意の場所に設置されている。
［出音システムの概容］
本実施の形態における出音設定の概容を、図２を用いて説明する。まず、図２の（ａ）に示すように、左側の会議室Ａでは数人による会議が行われており、右側の休憩室Ｂでは、その会議に関係の無い人物が雑談等をしている。ここで、左側の会議室Ａで行われている会議が白熱すると、自然と声量が大きくなるので、その内容が右側の休憩室Ｂに洩れ伝わる可能性がある。図２の（ａ）では右側の休憩室Ｂの一人が隣室の会話に気づいた様子を示す。
【００３０】
そこで、図２の（ｂ）に示すように、出音制御装置３は集音マイク１から集音された左側の会議室Ａの音量が、ある一定の音量を越えたことを検出すると、スピーカ２に対して、所定の音楽（例えばＢＧＭ等）を所定の音量で出音する。それにより、右側の休憩室Ｂの人物は、会議室Ａから洩れ伝わる人声が気にならなくなるため、会議室Ａの会話の内容を聞かれることを防止することが出来る。
【００３１】
一般に、建物の構造（木造か鉄筋コンクリート等か）の違いや、壁の材質及び窓や扉の形状などで防音効果は変化する。図２に示すように、会議室Ａと休憩室Ｂとは壁で仕切られており、ある程度の防音効果は期待出来るが、決して十分なものとはいえない。出来れば、特に会議室などは、その機密性から防音に適した部屋が割り当てられることが望ましい。しかし、現実にはなかなか防音に適した専用の会議室を設けることは、費用の面からも難しい。
【００３２】
そこで、本実施の形態のように、集音マイク１と、スピーカ２と、それを制御する出音制御装置３を設けることで、少なくとも会議の内容が、正確に隣室に伝わることを防ぐことが出来るので、大掛かりな防音対策の工事等が不要となり、対費用効果としても効率が良い。
【００３３】
また、いくら防音が十分でないとはいえ、会議室Ａと休憩室Ｂは壁で仕切られており（図２参照）、そのことによりある程度の防音性能は期待できる。ここで、この防音性能（遮音性能ともいう）を簡単に説明すると、会議室Ａから、周波数５００Ｈｚ（この、音の周波数を表す“Ｈｚ”とは１秒の間に繰り返される音の振幅の回数である。つまり５００Ｈｚの音とは１秒間に５００回の振幅を行う音のことである。）で音量１００ｄＢ（この、“ｄＢ”とは、一般に音の大きさを表す単位である）の音を発した場合、壁の遮音性能が３０ｄＢであったとすると、休憩室Ｂには７０ｄＢの音量の音が伝わることとなる。つまり、会議室Ａと休憩室Ｂの間の壁が、３０ｄＢの遮音性能を持つと仮定した場合は、会議室Ａで３０ｄＢ未満の音量で会話を行っても、隣室の休憩室Ｂへは音は洩れ伝わらないこととなる。
【００３４】
そこで、本実施の形態では、この防音性能の値（以下遮音音量と記す）を予め出音制御装置３に記憶するようにして、会議室Ａより集音された音量が、前記遮音音量を下回る場合は、隣室の休憩室Ｂへの出音を止める処理を行うようにしている。したがって、無駄な出音を省いて効率良く遮音することが可能である。例えば、出音制御装置３に記憶されている遮音音量が３０ｄＢであったとすると、出音制御装置３は、会議室Ａでの集音された会話の音量が、遮音音量の３０ｄＢ未満であった場合は、隣室の休憩室Ｂへの出音を行わなくでもよいことになる。あるいは、出音途中であっても、出音を停止したり、あるいは音量をより小さくするようにしてもよい。
【００３５】
さらに、人間が発する声の周波数は８５Ｈｚ〜１１００Ｈｚであるので、本実施の形態における出音制御装置３においては、音量だけではなく、音の周波数も解析できる手段を備えた構成としている。例えば、出音制御装置３は、前記遮音音量である３０ｄＢ以上の音量を会議室Ａより検出した場合でも、その音の周波数が、前記人間が発する声の周波数帯で無いと判断した場合は、隣室の休憩室Ｂへの出音を止める処理を行うことにより、無駄な出音が省けることになる。
［出音制御装置の電気的構成］
ここで、本実施形態における出音制御装置３の制御回路４について、図３を用いて説明する。図３は、本実施形態における出音制御装置３の制御回路４を示すブロック図である。
【００３６】
図３に示すように、本実施形態に係る出音制御装置３の制御回路４は、制御手段であるメインＣＰＵ（Ｃｅｎｔｒａｌ  Ｐｒｏｃｅｓｓｉｎｇ  Ｕｎｉｔ、中央処理装置の略称）１０、各種プログラムを記憶したメインＲＯＭ（Ｒｅａｄ  Ｏｎｌｙ  Ｍｅｍｏｒｙ、読み出し専用メモリの略称）１１、識別情報記憶手段としての機能を担うメインＲＡＭ（Ｒａｎｄｏｍ  Ａｃｃｅｓｓ  Ｍｅｍｏｒｙ、読み書き可能メモリの略称）１２を備えており、出音制御装置３の出音動作全体に亘る制御手段としての機能を担っている。
【００３７】
図３に示すように、メインＣＰＵ１０には、メインＲＯＭ１１、メインＲＡＭ１２が接続されており、このメインＲＯＭ１１に記憶されたプログラムに従って、各種の処理を実行する機能を有する。このように、メインＣＰＵ１０は、例えば、集音マイク１により集音された音量の判定手段や、スピーカ２により所定の音量でＢＧＭ等を出力する音出力手段として機能するなど、各種の手段として機能することとなる。
【００３８】
メインＲＡＭ１２は、メインＣＰＵ１０の一時記憶領域として種々のフラグや変数の値を記憶する機能を有するものである。
【００３９】
また、この制御回路４は、所定の周波数のクロックパルスを生成するリセット用クロックパルス発生回路１５を備え、メインＣＰＵ１０に接続されている。なお、このリセット用クロックパルス発生回路１５は、後述するシステムタイマ割込処理を実行するために、所定の周期（例えば２ミリ秒）毎にクロックパルスを発生する。
【００４０】
さらに、メインＣＰＵ１０には、各種の制御回路が接続されている。例えば、音入力制御回路１３、音出力制御回路１４が接続されている。
【００４１】
音入力制御回路１３は、集音マイク１から集音された音の音量や周波数を、メインＣＰＵ１０へ音データとして送る制御を行う。
【００４２】
音出力制御回路１４は、メインＣＰＵ１０から供給される音データにより、スピーカ２から、所定の音量で、ＢＧＭなどの様々な音を出力する制御を行う。
【００４３】
なお、本実施形態においては、プログラム等を記憶する記憶手段として、制御回路４ではメインＲＯＭ１１を用いるように構成したが、これに限らず、制御手段を備えたコンピュータにより読み取り可能な記憶媒体であれば別態様であってもよく、例えば、ハードディスク装置、ＲＯＭカートリッジ等の記憶媒体に、プログラム等が記録されていてもよい。また、これらのプログラムは、予め記録されているものでなくとも、電源投入後にこれらのプログラムをダウンロードし、メインＲＡＭ１２等に記録されるものでもよい。なお、本実施形態においては、メインＣＰＵ１０の一時記憶領域としてメインＲＡＭ１２を用いているが、これに限らず、読み書き可能な記憶媒体であれば、別の態様であってもかまわない。
［出音システムの動作］
以下に、出音制御装置３で実行される処理を、図４〜図７を用いて説明する。
［メイン処理］
最初に、メインＣＰＵ１０は、図４に示すように、ＲＡＭアクセス許可、バックアップ復帰処理、作業領域を初期化等の初期設定処理を実行する（ステップＳ１１）。そして、本実施の形態における、出音システムのメイン機能である出音処理を実行する（ステップＳ１２）。このように、メイン処理においては、ステップＳ１１の初期設定処理が終了した後は、ステップＳ１２の処理を繰り返し実行することとなる。
［システムタイマ割込処理］
メインＣＰＵ１０は、メイン処理を実行している状態であっても、メイン処理を中断させ、システムタイマ割込処理を実行する場合がある。リセット用クロックパルス発生回路１５から所定の周期（例えば２ミリ秒）毎に発生されるクロックパルスに応じて、以下のシステムタイマ割込処理を実行する。このシステムタイマ割込処理について図５を用いて説明する。
【００４４】
最初に、図５に示すように、メインＣＰＵ１０は、ステップＳ２２において、集音マイク１により集音され、音入力制御回路１３より送られてくる音声の周波数や音量を、メインＲＡＭ１２の所定の領域に記憶する。
【００４５】
次に、メインＣＰＵ１０は、ステップＳ２３において、メインＲＡＭ１２の所定領域に記憶されている各種タイマ（例えば、詳しくは後述するが、図６の出音処理において、メインＣＰＵ１０により設定される出音開始監視タイマや出音停止監視タイマ等）を、割り込み発生の時間（例えば２ミリ秒）毎に記憶更新することとなる。
【００４６】
そして、メインＣＰＵ１０は、ステップＳ２４において、メインＲＡＭ１２の所定の領域に記憶されている音声データの出力要求に従い、音出力制御回路１４に対して、音データを出力する処理を行う。それにより、スピーカ２において、所定の音量のＢＧＭ等の音楽が出力されることとなる。ここで、音出力制御回路１４に対して出力される音データは、例えば、詳細は後述するが、メイン処理のステップＳ１２（図４参照）で実行される出音処理で決定されメインＲＡＭの所定の領域に音データとして記憶されたものである。この処理が終了した場合には、本サブルーチンを終了し、割込発生前のアドレスへ復帰し、メイン処理を実行させる。
［出音処理］
図４のステップＳ１２において実行される出音処理について図６を用いて説明する。
【００４７】
ステップＳ３１においては、メインＣＰＵ１０は、集音マイク１からの音の入力があるか否かを判断する。さらに、メインＣＰＵ１０は、集音マイク１から入力した音の周波数を判断し、その周波数が人の音声の周波数帯（８５Ｈｚ〜１１００Ｈｚ）であった場合はステップＳ３２へ処理を移す。一方、メインＣＰＵ１０は、音の入力が無い場合または入力した音が人の音声では無いと判断した場合は、ステップＳ３４へ処理を移す。ステップＳ３２においては、メインＣＰＵ１０は、集音マイク１から入力した音の音量を、入力音量としてメインＲＡＭ１２の所定の領域に記憶して、その後ステップ３３へ処理を移す。
【００４８】
ステップＳ３３においては、メインＣＰＵ１０は、ステップＳ３２で記憶された入力音量と、予め設定された遮音音量（室と室の間に設けられた壁などにより自然と遮音される音量）を比較し、入力音量が遮音音量より大きい場合はステップＳ３８へ，そうでない場合はステップＳ３４へ処理を移す。つまり、この処理においてメインＣＰＵ１０は、入力音量と遮音音量とを比較し、集音マイク１により検出した音声の音量が隣室へ洩れる音量かどうかをチェックすることとなる。
【００４９】
ステップＳ３４においては、メインＣＰＵ１０は、出音停止監視要求があるか否かを判断し、出音停止監視要求がある場合は、ステップＳ４３へ処理を移し、そうでない場合は、ステップＳ３５において、現在スピーカ２よりＢＧＭ等の音楽を出音中か否かを判断する。そして、出音中で無い場合は本サブルーチンを終了する。一方、出音中の場合は、メインＣＰＵ１０は、ステップＳ３６の処理において、出音停止監視要求をセットし、さらにステップＳ３７の処理において、出音停止監視タイマに出音を停止するまでの待ち時間（例えば３秒）を設定し、メインＲＡＭ１２の所定の領域に記憶して、本サブルーチンを終了する。
【００５０】
ステップＳ４３においては、メインＣＰＵ１０は、出音停止監視タイマがタイムアップしたか（つまり“０”になったか）をチェックし、タイムアップしていない場合は本サブルーチンを終了する。一方、タイムアップした場合は、ステップＳ４４の処理において、メインＣＰＵ１０は、スピーカ２からの出音停止の要求を、メインＲＡＭ１２の所定の領域に記憶して、本サブルーチンを終了する。このステップＳ４４でメインＲＡＭ１２に記憶されたスピーカ２による出音停止要求は、システムタイマ割込処理のステップＳ２４（図５参照）の出力処理において、メインＣＰＵ１０から音出力制御回路１４へ出力され、スピーカ２における出音が停止されることとなる。
【００５１】
ステップＳ３８においては、メインＣＰＵ１０は、出音開始監視要求があるか否かを判断し、出音開始監視要求が無かった場合は、ステップＳ３９へ処理を移し、あった場合はステップＳ４５に処理を移す。
【００５２】
ステップＳ３９においては、メインＣＰＵ１０は、現在スピーカ２からの出音中であるか否かをチェックし、出音中で無ければステップＳ４１へ処理を移す。一方、出音中であれば、メインＣＰＵ１０は、ステップＳ４０において、集音マイク１からの入力音量が変化したかをチェックする。そして、入力音量の変化があると判断した場合は、ステップＳ４１へ処理を移し、入力音量に変化がないと判断した場合は、本サブルーチンを終了する。
【００５３】
ステップＳ４１においては、メインＣＰＵ１０は、出音開始監視要求をセットし、次にステップＳ４２において、出音を開始するまでの待ち時間（例えば３秒）を出音開始監視タイマにセットし、メインＲＡＭ１２の所定の領域に記憶して本サブルーチンを終了する。
【００５４】
ステップＳ４５においては、メインＣＰＵ１０は、出音開始監視タイマがタイムアップしたか（つまり“０”）をチェックし、タイムアップしていない場合は本サブルーチンを終了する。一方、タイムアップした場合は、ステップＳ４６の処理において、メインＣＰＵ１０は、スピーカ２からの出音するための出音量を決定する演算を行う。まず、メインＣＰＵ１０は、集音マイク１により入力された入力音量から遮音音量を減算し、その差に対して所定の数値（入力音量から遮音音量を減算した数値に対し、どのくらいの割合でスピーカ２より出音されるＢＧＭ等の音量を大きくするかを決定する数値）との積を求める。例えば、入力音量が“４０ｄＢ“、遮音音量が“２０ｄＢ”、所定の数値が“１．０５”とすると、求められる出音量は、〔（４０−２０）×１．０５＝２１〕となり、２１ｄＢの出音量が決定される。つまり、本実施の形態においては、図２に示すように、会議室Ａから休憩室Ｂへ洩れ伝わる音量よりも、少し大きめの音量で、スピーカ２からＢＧＭ等の音楽が休憩室Ｂへ出音されることとなる。そして、決定された出音量は、メインＲＡＭ１２の所定の領域に記憶され、ステップＳ４７へ処理を移す。
【００５５】
ステップＳ４７においては、メインＣＰＵ１０は、休憩室Ｂのスピーカ２（図２の（ｂ）参照）から出音するための音データを決定する。本実施の形態においては、メインＣＰＵ１０は、ステップＳ４６で決定された出音量に応じて、図７の音選択テーブルを参照して音データを決定する。具体的にいうと、メインＣＰＵ１０は、ステップＳ４６で出音量２１ｄＢを決定した場合は、図７の音選択テーブルを参照することにより、音データＳ３を選択することとなる。そして、ここで決定した音データを、メインＲＡＭ１２の所定の領域に記憶して、本サブルーチンを終了する
本実施の形態では、ステップＳ４７の処理において、隣室の休憩室Ｂ（図2参照）に出力される音データ（図7参照）は、出音量に応じて複数用意されている。つまり、会議室Ａでの音量が上がった場合には、ただ単に所定のＢＧＭ等の音楽の音量を上げて出力するだけではなく、ＢＧＭ等の音楽も、アップテンポの音楽に変更するなどの選択が行われることとなる。これにより、より確実に会議室Ａから隣室の休憩室Ｂへ洩れた音声が、他の人に聞き取られることを、防止する効果が期待できる。
【００５６】
そして、ステップＳ４６またはステップＳ４７で決定され、メインＲＡＭ１２に記憶されたた出音量やＢＧＭ等の音データは、システムタイマ割込処理のステップＳ２４（図５参照）の出力処理において、メインＣＰＵ１０から音出力制御回路１４へ出力され、休憩室Ｂのスピーカ２（図２参照）から所定の音量でＢＧＭ等の音楽として出音されることとなる。
【００５７】
さらに、本実施の形態における、スピーカ２から聞き取りの妨げとして出音されるＢＧＭ等の音楽は、人の音声の周波数帯（８５Ｈｚ〜１１００Ｈｚ）を参考にして、この周波数帯の中の音を用いて構成された音楽を用い、そして、出力のタイミングとしては、集音マイク1から入力した音の周波数の逆位相のタイミングで出力するものとする。このことにより、いわゆるアクティブ消音（このアクティブ消音とは、ある音の波形に、その音の波形を上下にひっくり返した波形を重ねると、重ね合わせの原理により音の波形が相殺されて音が消える、という現象を利用した消音の手段である）の効果を狙うことができるため、より確実に会話などの音声を聞き取り難くすることができる。
【００５８】
このように、本実施の形態における、出音制御装置３において実行される出音処理（図６参照）においては、図２に示すように、会議室Ａ行われている会議中の音声を、集音マイク１で集音し、その音量が隣室の休憩室Ｂに洩れるか否かを判断し、休憩室Ｂに洩れると判断した場合は、休憩室Ｂに設置されているスピーカ２により、壁の防音性能（遮音性能）を加味した所定の音量でＢＧＭ等の音楽を出力することとなる。また、この休憩室Ｂのスピーカ２から出力されるＢＧＭ等の音楽の音量は、会議室Ａの集音マイク１で集音される会議中の音量の変化に追従する。例えば、出音制御装置３においては、会議室Ａの音量が増加したと判断した場合は、休憩室Ｂのスピーカ２から出力されるＢＧＭ等の音楽の音量も増加させ、さらに。その音量にあわせてＢＧＭ等の音楽も変更する手段を用いることで、より確実に、会議室Ａで行われている会議中の音声を、隣の休憩室Ｂにいる他の人物に聴かれることを防止する効果を奏することとなる。
【００５９】
なお、本実施の形態では、図２に示すように、隣室の休憩室Ｂにおいてスピーカ２から出力される音の音量やＢＧＭ等の音楽の音データについては、予め定められた遮音音量となるデータを、出音制御装置３の内部データとして登録するようにしているが、音の伝達は、気温及び湿度等の、その日の天候などにも左右されるほど微妙なものである。さらに一概に会議中の会話といっても、その会議を構成する人間により特性は異なることとなる。例えば、一般に女性よりも男性のほうが音声における周波数が低く、また低い周波数の音は伝達し易いという特性を持っている。このため、集音マイク１で集音された会議室Ａの音声の音量と、出音制御装置３の内部に設定された遮音音量とに基いて休憩室Ｂのスピーカ２から出音するＢＧＭ等の音楽の音量を決定するようにした本実施の形態では、効率の良い遮音効果が得られない可能性が残る。そこで、スピーカ２からの出音音量を大きめに設定することで対応しても良い。
【００６０】
また、例えば、隣室の休憩室Ｂの壁の近くに、会議室Ａから洩れる音声の音量または周波数を測定できる音量感知手段を追加して設置し、実際にスピーカ２より出力される音量は、その追加され音量感知手段からの音量データを基に決定するようにしても良い。この場合、より確実に会議室Ａよりの会話の洩れに対する防止効果が高まることとなる。
【００６１】
さらに、前記休憩室Ｂに設置された音量感知手段により、実際に休憩室Ｂに洩れている会議室Ａからの音声の周波数を分析し、例えば、最も音量の高い周波数の音声に対し、前記アクティブ消音の効果を狙い、休憩室Ｂのスピーカ２より逆位相のタイミングで同じ周波数の音声を出力するようにすれば、会議室Ａよりの会話の洩れを休憩室Ｂ内に居る者に聞かれることを、よりいっそう効果的に防止できる。
【００６２】
なお、本実施の形態で設置されている、集音マイク１、スピーカ２、及び出音制御装置３の配置（図１参照）は、これに限定されるものではない。特にスピーカ２の配置は、室の形状及び音響効果等を考慮して、適宜変更可能である。
【００６３】
また、本実施の形態において、集音マイク１及びスピーカ２の設置数等も、より本発明の目的に沿うものであれば、特に限定するものではない。
【００６４】
以上、本発明の実施例を説明したが、具体例を例示したに過ぎず、特に本発明を限定するものではない。すなわち、本発明は、主に、所定の室の音を集音する集音手段と、前記所定の室に隣接した空間に設置した出音手段と、前記集音手段により集音した音データの音量に応じた所定音量の音を、前記出音手段より出音するように制御する出音制御手段で構成されたシステムではあるが、前記各手段などの具体的構成は、適宜設計変更可能である。
【００６５】
尚、本発明の実施例に記載された効果は、本発明から生じる最も好適な効果を列挙したに過ぎず、本発明による効果は、本発明の実施例に記載されたものに限定されるものではない。
【図面の簡単な説明】
【００６６】
【図１】本発明の一実施形態の出音システムの概観を示す図である。
【図２】本発明の一実施形態の出音システムの流れを示す図である。
【図３】本発明の一実施形態の出音システムおいて構成される制御回路を示すブロック図である。
【図４】本発明の一実施形態の出音システムにおいて実行される制御処理を示すフローチャートである。
【図５】本発明の一実施形態の出音システムにおいて実行される制御処理を示すフローチャートである。
【図６】本発明の一実施形態の出音システムにおいて実行される制御処理を示すフローチャートである。
【図７】本発明の一実施形態の出音システムにおいて参照される音データ選択テーブルである。
【符号の説明】
【００６７】
１    集音マイク
２    スピーカ
３    出音制御装置
４    制御回路
１０    メインＣＰＵ
１１    メインＲＯＭ
１２    メインＲＡＭ
１３    音入力制御回路
１４    音出力制御回路
１５    クロックパルス発生回路
【図１】
2007256606.tif 000003
【図２】
2007256606.tif 000004
【図３】
2007256606.tif 000005
【図４】
2007256606.tif 000006
【図５】
2007256606.tif 000007
【図６】
2007256606.tif 000008
【図７】
2007256606.tif 000009